(57)【要約】  照明システムは、埋め込み式パネル（光源又は窓）と、凹部のまわりの１つの側壁又は複数の側壁のセットとを有する。前記１つの側壁（又は前記複数の側壁の少なくとも１つ）は、光が前記１つの側壁又は複数の側壁から発せられる形状及び／又は照明の色を制御するための照明装置を具備する。これは、天窓を通した日光照明から凹部壁に生じるはっきりした照明境界を再現するために用いられることができ、あるいは、それらは、窓のまわりの一般照明を供給するために用いられることができる。
2016536744.tif 000002
【特許請求の範囲】
【請求項１】
光透過又は光生成領域と、
凹部を画定する、前記光透過又は光生成領域のまわりの１つの側壁又は複数の側壁のセットとを有する照明システムであって、
前記光透過又は光生成領域が、前記凹部の底面に位置し、
前記１つの側壁又は前記複数の側壁の少なくとも１つが、光が、前記１つの側壁若しくは複数の側壁によって供給される、又は対向する１つの側壁若しくは複数の側壁によって供給される形状及び／又は照明のコントラスト及び／又は強度及び／又は色を制御するための照明装置を具備し、前記１つの側壁又は前記複数の側壁の少なくとも１つが、２つの独立して制御可能な三角形発光領域から形成される矩形発光領域を更に有する照明システム。
【請求項２】
複数の側壁のセットを有し、前記複数の側壁の少なくとも１つが、４つの独立して制御可能な三角形発光領域から形成される矩形発光領域を有し、各三角形発光領域が、前記矩形発光領域の中央に頂点を持つ請求項１に記載の照明システム。
【請求項３】
複数の側壁のセットを有し、少なくとも２つの側壁が、各々、複数の独立して制御可能な三角形発光領域から形成される矩形発光領域を有し、各三角形発光領域が、前記矩形発光領域の１つの角に頂点を持つ請求項１に記載の照明システム。
【請求項４】
４つの側壁を有し、前記複数の独立して制御可能な三角形発光領域から形成される矩形発光領域を有する２つの側壁が、互いに面し、他の２つの側壁が、各々、複数の矩形発光領域を具備する請求項３に記載の照明システム。
【請求項５】
前記光透過又は光生成領域が、矩形又は正方形を有する請求項１乃至４のいずれか一項に記載の照明システム。
【請求項６】
前記光透過又は光生成領域が、光源を有する請求項１乃至５のいずれか一項に記載の照明システム。
【請求項７】
前記光源が、前記光生成領域に対する法線方向に発せられる光のための第１の色と、前記法線方向から斜めの方向に発せられる光のための第２の異なる色とを供給する請求項６に記載の照明システム。
【請求項８】
前記第２の色が、前記第１の色と比べてより強い青色成分を持つ請求項７に記載の照明システム。
【請求項９】
前記光透過又は光生成領域の前記光源を、前記１つの側壁又は複数の側壁の前記照明装置と同期して制御するための制御装置を更に有する請求項６乃至８のいずれか一項に記載の照明システム。
【請求項１０】
前記光透過又は光生成領域が窓を有する請求項１乃至５のいずれか一項に記載の照明システム。
【請求項１１】
前記１つの側壁又は各側壁の前記照明装置が、前記１つの側壁又は複数の側壁から観察者へ光を発するためのものである請求項１乃至１０のいずれか一項に記載の照明システム。
【請求項１２】
前記１つの側壁又は各側壁の前記照明装置が、前記観察者への反射のために、前記１つの側壁又は複数の側壁から対向する側壁又は前記１つの側壁の対向する部分へ光を発するためのものである請求項１乃至１０のいずれか一項に記載の照明システム。
【請求項１３】
前記１つの側壁又は各側壁の前記照明装置が、制御可能な出力色を持つ請求項１乃至１２のいずれか一項に記載の照明システム。
【発明の詳細な説明】
【技術分野】
【０００１】
本発明は、屋内照明システムに関する。
【背景技術】
【０００２】
人々は、一般に、前記人々の照明の主たる供給源として、人工光より日光を好む。誰でも、日常生活における日光の重要性を認識している。日光は、人々の健康及び幸福にとって重要であることが知られている。
【０００３】
一般に、人々は、前記人々の時間の９０％を超える時間を、屋内で費やし、多くの場合、自然の日光から離れている。それ故、家、学校、店、オフィス、病室及び浴室を含む、自然の日光が欠けている環境において、人工光で納得のいく日光の印象を与える人工日光供給源のニーズがある。
【０００４】
市場に出ている人工日光供給源は、主に、高い強度、調整可能な色温度、及びゆっくりとした変遷（昼／夜の周期的変化）に焦点を合わせている。ディスプレイ又はホイルを用いて、例えば、青い空の外観又は曇った空の外観を表示することによって、空に面する天井に窓の外観を作成することも知られている。
【０００５】
日光を更により忠実にエミュレートしようとする照明システムは著しく発達している。例えば、このような照明システムは、本物の天窓を通して受け取られるだろう自然の日光をエミュレートしようと試みる疑似天窓として用いられる。疑似天窓の現実感を向上させるため、天窓のソリューションは、通常、本物の天窓が取り付けられるのと同じ方法で、天井の凹部に取り付けられる。
【０００６】
本出願人によって以前に提案されている或る手法は、或る角度で、例えば、４０乃至９０度で天窓を見るときに、青色の（即ち、晴れた空の）外観をもたらすものであるが、依然として、天窓の法線方向に対して平行に向けられているビームにおいて、即ち、下方へ、主に白色光を発する。これは、下方向に機能的な白色光を供給し、前記法線に対して角度をなしてより多くの青色光を供給する。
【０００７】
凹部の側部は、当然、疑似天窓の縁端部に位置し、前記側部は、天窓によって発せられる光、即ち、上記のタイプの照明ユニットのための青色光を、大きな角度で拡散反射する。青色光の強度は一般に低いが、それによって、天窓の凹部の（一般に白色の）表面が、青っぽい又は少なくとも非常に寒色の白色の外観を呈するようになる。これは、本物の天窓では生じず、従って、疑似天窓ソリューションで達成されることを目的とする効果を減じる。
【０００８】
この反射光の輝度もかなり低いが、本物の天窓では、凹部の白色の壁は、それが天窓のすぐ隣にあることから、非常に明るく見えるだろう。
【発明の概要】
【発明が解決しようとする課題】
【０００９】
それ故、日光をより良くシミュレートする埋め込み式照明システムのニーズがある。
【課題を解決するための手段】
【００１０】
本発明は、請求項によって規定される。
【００１１】
本発明によれば、
光透過又は光生成領域と、
凹部を画定する、前記光透過又は光生成領域のまわりの１つの側壁又は複数の側壁のセットとを有する照明システムであって、
前記光透過又は光生成領域が、前記凹部の底面に位置し、
前記１つの側壁又は前記複数の側壁の少なくとも１つが、光が、前記１つの側壁若しくは複数の側壁によって供給される、又は対向する１つの側壁若しくは複数の側壁によって供給される形状及び／又は照明のコントラスト及び／又は強度及び／又は 色を制御するための照明装置を具備し、前記１つの側壁又は前記複数の側壁の少なくとも１つが、２つの独立して制御可能な三角形発光領域から形成される矩形発光領域を更に有する照明システムが提供される。
【００１２】
この照明システムは、照明パネルが収容される標準的な受動凹部を発光面に置き換える。前記発光面は、例えばランバート強度分布で、白色光及び／又は着色光を発することができる。
【００１３】
この方法においては、前記側壁の外観が、前記光透過又は光生成領域からの望まれている照明効果に対応するよう作成され得る。
【００１４】
光強度という用語は、輝度（表面から来る光の量）、照度（表面に当たる光の量）、光束発散度（光源によって発せられる光）及び光度（所与の方向に発せられる光の量）のような関連用語を包含する。供給源が光を放射又は反射しているように見える視覚の属性である明るさにも関する。それは、観察されている物体の主観的属性である。
【００１５】
輝度は、所与の方向に進む光の単位面積当たりの光度の測光単位である。それは、特定の領域を通過する、又は特定の領域から発せられる、又は所与の立体角の範囲内にある光の量を表わす。輝度のための測定のＳＩ単位は、カンデラ毎平方メートル（cd/m2）である。輝度は、多くの場合、平らな拡散面からの発光又は反射の特徴を記述するために用いられる。輝度は、特定の視野角から前記面を見る目によってどのくらいの発光出力が検出されるかを示す。従って、輝度は、前記面がどのくらい明るく見えるかの指標である。
【００１６】
照度は、面に入射する全光束の、単位面積当たりの測定値である。それは、人間の明るさの知覚と相関するよう光度関数によって波長重み付けされた、どのくらいの入射光が前記面を照明するかの単位である。照度のＳＩ単位は、ルクス(lx)又はルーメン毎平方メートルである。
【００１７】
光束発散度は、或る面から発せられる単位面積当たりの光束である。光束は、全方向に発せられる全知覚出力である。
【００１８】
光度は、光度関数、人間の目の感度の標準化モデルに基づいて波長重み付けされた、光源によって特定の方向に発せられる単位立体角当たりの出力の単位である。光度のＳＩ単位は、カンデラ(cd)である。  
【００１９】
前記コントラストは、同じ視界内の或る物体と他の物体との間で決定される輝度及び／又は色における差異であり、つまり、前記２つの独立して制御可能な三角形発光領域は、それらの間にコントラストを持っていてもよく、即ち、それらは、互いに異なる色及び／又は異なる輝度を持っていてもよい。
【００２０】
或る例においては、前記システムは、複数の側壁のセットを有し、各側壁は、矩形発光領域を有する。これは、多角形パネルのための基本的な凹部を規定する。
【００２１】
複数の側壁のセットを備える第１の例においては、各側壁は、２つの独立して制御可能な三角形発光領域から形成される矩形発光領域を含み得る。１つの三角形が照明されている状態では、はっきりした境界の効果がもたらされることができ、これは、太陽などの遠隔点光源によってもたらされるはっきりした線を再現することができる。この方法においては、三角形の照明形状が、太陽に照らされた光透過又は生成領域によってもたらされているように見え得る。両方の三角形が照明される場合には、前記側壁が、太陽に面しているように見え得るのに対して、一方の三角形が照明される場合には、前記側壁が、太陽に対して横方向に配置されているように見え得る。いずれの三角形も照明されない場合には、前記側壁が、陰にあるように見え得る。
【００２２】
複数の側壁のセットを備える別の例においては、各側壁は、４つの独立して制御可能な三角形発光領域から形成される矩形発光領域を含むことができ、各三角形発光領域は、前記矩形発光領域の中央に頂点を持つ。これは、三角形が逆の傾きで規定され得ることを意味する。これは、前記照明システムが、太陽にもたらされる影を再現するために何らかの特別な方法で方向づけられる必要がないことを意味する。
【００２３】
複数の側壁のセットを備える別の例においては、２つの側壁が、各々、複数の独立して制御可能な三角形発光領域から形成される矩形発光領域を含むことができ、各三角形発光領域は、前記矩形発光領域の１つの角に頂点を持つ。これは、三角形が様々な傾きで規定され得ることを意味する。これは、前記照明システムが、異なる時刻を表わす、空において異なる高さにある太陽によって投じられる線を再現することができることを意味する。４つの側壁であって、（複数の前記三角形を備える）２つの側壁が、互いに面し、他の２つの側壁が、各々、複数の矩形発光領域を具備する４つの側壁があり得る。
【００２４】
（太陽からの入射光の方向に対して）横方向に配置される側壁は前記三角形を有するのに対して、前壁及び後壁は前記矩形を有する。これは、４つの全ての側壁が、特定の太陽位置からの日光照明に対応する全体的な印象を与えるよう制御され得ることを意味する。
【００２５】
前記光透過又は光生成領域は、一般に、矩形又は正方形を有するが、他の形状もあり得る。
【００２６】
例の或るセットにおいて、前記光透過又は光生成領域は、光源を有する。その場合、前記光源は、自然の日光、又は月若しくは星からの自然の照明を再現することを目的としている。前記側壁における照明の使用は、前記照明システムの現実感を増大させるのに役立つ。前記照明システムは、天井において疑似窓として用いられることができるが、壁において疑似垂直窓として用いられることもできる。
【００２７】
前記光源は、前記光生成領域に対する法線方向に発せられる光のための第１の色と、前記法線方向から斜めの方向に発せられる光のための第２の異なる色とを供給することができる。前記第２の色は、例えば、前記第１の色と比べてより強い青色成分を持ち得る。この構成は、疑似天窓、即ち、天井の窓の、日光（直射日光又は例えば曇った日に見られるだろうような全面的な光）によって照らされているときの外観を再現しようとする外観を供給するシステムとして機能する。この構成は、（日光を表わす）より白い下向きの作業光と、（日のあるうちの空を表わす）他の方向のより青い光とを供給する。前記側壁照明は、本物の窓を通して観察される効果と合致しない、前記側壁が青く見えることを防止することができる。
【００２８】
この方法においては、照明される前記１つの側壁又は複数の側壁は、前記疑似天窓からの入射青色光を補償し、故に、前記凹部の壁は、観察者には白色（又は望まれる日光の任意の他の色／色温度）に見える。色の問題は別として、明るい凹部壁は、日光の効果の現実感を高める。上で説明したように、はっきりと画定された明／暗境界を形成することによって、更にいっそうの現実感が供給され得る。これらの方策は、疑似天窓のソリューションの現実感を非常に高めるために用いられ得る。
【００２９】
前記システムは、好ましくは、前記光透過又は光生成領域の前記光源を、前記１つの側壁又は複数の側壁の前記照明装置と同期して制御するための制御装置を有する。
【００３０】
例の第２のセットにおいて、前記光透過又は光生成領域は窓を有する。この方法においては、前記側壁は、暗いときに照明を供給するために用いられることができ、それらは、照明効果を生成するために用いられ得る。例えば、曇った日に、より晴れた日の印象をもたらすよう、付加的な光が供給され得る。
【００３１】
前記１つの側壁又は各側壁の前記照明装置は、前記１つの側壁又は複数の側壁から観察者へ光を発するためのものであり得る。しかしながら、変形例は、前記１つの側壁又は各側壁の前記照明装置が、前記観察者への反射のために、前記１つの側壁又は複数の側壁から対向する側壁又は前記１つの側壁の対向する部分へ光を発するためのものである。
【００３２】
前記１つの側壁又は各側壁の前記照明装置は、制御可能な出力色を持ち得る。
【００３３】
ここで、添付図面を参照して、本発明の例を詳細に説明する。
【図面の簡単な説明】
【００３４】
【図１】埋め込み式天窓又は埋め込み式疑似天窓の形態の照明パネルを示す。
【図２】本発明の照明システムを示す。
【図３】本発明の様々な例を説明するために用いられる、矩形又は正方形の凹部の４つの側壁を示す。
【図４】単一発光領域の形態の側壁を備える、本発明による側壁の第１デザインが、自然のままの指向性効果を作り出すためにどのように用いられ得るかを示す。
【図５】本発明による側壁の第２デザインを示す。
【図６】本発明による側壁の第３デザインを示す。
【図７】本発明による側壁の第４デザインを示す。
【図８】本発明による側壁の第５デザインを示す。
【図９】本発明によるシステムを示す。
【発明を実施するための形態】
【００３５】
本発明は、（光源などの光生成領域又は窓などの光透過領域であり得る）埋め込み式パネルと、凹部のまわりの側壁又は側壁のセットとを有する照明システムを提供する。側壁（又は側壁のうちの少なくとも１つ）は、光が１つ又は複数の側壁から発せられる形状及び／又は照明の色を制御するための照明装置を具備する。これは、天窓を通した日光照明から凹部壁に生じるはっきりした照明境界を再現するために用いられることができ、あるいは、それらは、窓のまわりの一般照明を供給するために用いられることができる。
【００３６】
図１は、埋め込み式天窓又は埋め込み式疑似天窓の形態の照明パネルを示している。照明パネルは、天井１２に埋め込まれ、故に、照明パネルは、側壁であって、前記側壁のうちの２つ１４ａ、１４ｂが図１において見られ得る側壁で形成される凹部の底部に位置する。
【００３７】
本物の天窓の場合には、側壁１４ｂのような側部にはっきりした影が形成される。太陽に面する側壁（この場合には側壁１４ａ）は、十分に照明され、側壁１４ａと反対側の側部は、完全に陰になっている。
【００３８】
側壁１４ｂのために示されているように、相対的にはっきりした目に見える境界を備える、照明されている部分１６と、陰になっている部分１８とがある。
【００３９】
照明ユニットが本物の天窓の窓の代わりをする疑似天窓が知られている。しかしながら、疑似天窓は、遠隔点光源（太陽）を再現しないことから、側壁は、本物のようには照明されない。
【００４０】
本発明は、側壁からの（又は側壁への）照明を供給し、故に、例えば、より現実感のある外観を含む様々な効果が得られ得る。
【００４１】
図２は、疑似天窓への適用時の本発明の照明システムを示している。照明ユニットは、凹部の底部に位置する照明パネル２０を有する。凹部の側壁は、他の照明パネル２２を持つ。石膏ボードなどの天井の仕上げは、２４と示されており、天井構造は、２６と示されている。
【００４２】
図３は、矩形又は正方形の凹部の場合は、１４ａ、１４ｂ、１４ｃ、１４ｄと標記されている４つの矩形の側壁がどのように存在するかを示している。これらの側壁は、全て、同じ照明装置を具備してもよく、又はそれらは、異なっていてもよい。可能性の幾つかを明らかにするために様々な例を下に記載する。
【００４３】
最も基本的な実施例においては、凹部の全ての４つの側壁が、光を発することができ、各々が、その全面にわたって一様に光を発する。これは、各凹部壁が、オン若しくはオフに切り替えられることができる、又は最大光強度の０％と１００％との間の値に調光されることができる単一の矩形発光セグメントから成ることを意味する。
【００４４】
最も単純な実施例においては、全ての凹部壁光源が、同時にオンに切り替えられることができる。これは、日光による指向性照明を再現しないが、それは、側壁が、制御された色などの外観を持つこと意味する。
【００４５】
この色制御は、前記法線方向に対して急角度に青っぽい周囲光が発せられる幾つかの疑似天窓パネルにとって重要である。この青っぽい光は、空の色を再現している凹部の側壁は、垂直に発せられるより白い光ではなく、この急角度の周囲光によって照明されるだろう。これは、側壁が誤った青っぽい外観を持ち得ることを意味する。
【００４６】
側壁に光源を設けることによって、側壁の外観は制御され得る。
【００４７】
方向の幾らかの知覚も、矩形光源の形態の側壁で達成され得る。日光によってもたらされる指向性効果の外観を作成するために、側壁１４ａ及び１４ｂのような２つの隣接する壁が、側壁１４ｃ及び１４ｄの間のコーナーの方向から来る日光をシミュレートするよう、オンに切り替えられ得る。オフに切り替えられる凹部壁（この例においては１４ｃ及び１４ｄ）は、単に、より高い強度へオンに切り替えられる凹部側壁光源と比べてより低い強度に調光されてもよい。
【００４８】
この効果は図４に示されている。
【００４９】
この例においては、光源は、各側壁の全領域にわたって出力を供給する。従って、側壁ごとに単一の光源が用いられ得る。
【００５０】
第１例として、光源は、エッジ照明光導波路であって、その表面上に（塗料のドット又は表面の凹凸などの）アウトカップリングパターンを備える、又はその構造内に形成される散乱粒子若しくは構造を備える、エッジ照明光導波路を含み得る。光源は、導光構造の１つ以上の縁端部のＬＥＤであり得る。
【００５１】
第２例として、光源は、ＯＬＥＤ（有機ＬＥＤ）照明パネルであり得る。
【００５２】
第３例として、光源は、白色の混合ボックス内の低出力又は中出力ＬＥＤのアレイから成り得る。混合ボックスは、一様な発光面を作成するよう、拡散器によって覆われる。
【００５３】
これらのあり得る光源デザインは、下記の複数セグメント化デザインにも適用され得る。
【００５４】
異なる照明ソリューションは、異なる照明効果をもたらし、異なる量の照明空間を必要とする。例えば、光混合ボックスは、照明効果を一様にするために、ＬＥＤと拡散器との間に或る特定の距離を必要とする場合があり、これは、ユニットに対する或る特定の厚さを意味する。一例として、この厚さは、ＬＥＤのピッチ、及び用いられる拡散器の強さに依存して、一般に、1cmと10cmとの間で変化し得る。
【００５５】
オフに切り替えられるときに標準的な塗装された光沢のない壁の外観を与えるため、発光面は、光沢のない拡散器、又は薄い透光性白色布地、又は白色塗料の薄い透光性層で覆われ得る。
【００５６】
上の例は、側壁の全領域にわたって光を発する単一の光源を備える側壁を用いる。
【００５７】
日光によって供給される照明のより現実感のある再現のため、個々にアドレス指定される（オンに切り替えられる／オフに切り替えられる／調光される）ことができる複数のセグメントを持つ光源が用いられ得る。
【００５８】
図５は、２つの独立して制御可能な三角形発光領域５０、５２から形成される矩形発光領域の形態の側壁デザインを示している。
【００５９】
両方のセグメントがオンに切り替えられる場合、壁は、一様に光を発するが、一方のセグメント５０しかオンに切り替えられず、他方のセグメント５２が減光される又はオフに切り替えられる場合、或る特定の位置にある太陽の効果を再現する縁がはっきりしたパターンが作成され得る。
【００６０】
図１を参照して説明したように、エミュレートされる入射日光方向に対して横方向に位置する凹部側壁は、三角形の照明パターンを持つだろう。太陽に面する側壁は、十分に照明され、他の側壁は、陰にあるだろう。
【００６１】
図５も、５４と示すより明るい照明領域を持つこの効果を示している。側壁１４ａ及び１４ｃは、三角形のパターンを供給するよう制御されるのに対して、側壁１４ｂ及び１４ｄは、矩形の光出力パターンを持つ。
【００６２】
この原理は、より多くのセグメントを用いることによって拡張され得る。
【００６３】
図６は、各側壁が、一方を他方の上に積み重ねた２つのダブル三角形領域５０ａ、５２ａ及び５０ｂ、５２ｂを持つ例を示している。２つの領域は、逆の対角線を用いて三角形に分けられ、故に、逆方向の入射日光がエミュレートされ得る。従って、図６にも示されている２つの照明パターンが得られ得る。この方法においては、照明装置は、午前及び午後の照明効果をシミュレートすることができる。
【００６４】
図７は、側壁が４つの三角形セグメント６０、６２、６４及び６６にセグメント化される別の例を示している。この構成においては、各側壁は、各々が矩形領域の中央に頂点を持つ、４つの独立して制御可能な三角形発光領域から形成される矩形発光領域を有する。
【００６５】
上の例においては、全ての側壁が同じデザインを持つと仮定されている。しかしながら、更に改善された効果のために、異なる側壁は、異なるデザインを持つことができ、その場合、照明ユニットは、日光によってもたらされる照明効果を最もよくエミュレートするよう特定の向きに組み立てられ得る。例えば、照明システムが、真夏の１日をエミュレートするものである場合には、北向き及び南向きの側壁において三角形の照明パターンが望ましく、東向き及び西向きの側壁において矩形の照明パターンが望ましい。
【００６６】
図８は、２つの側壁が、図８（ａ）に示されているように複数の矩形のものとして形成され、他の２つの側壁が、図８（ｂ）に示されているように複数の三角形のものとして形成される他の例を示している。
【００６７】
図８（ａ）に示されている側壁は、２つの矩形のものを持つ。
【００６８】
図８（ｂ）の三角形構成は、各々が矩形領域の１つの角に頂点を持つ、複数の独立して制御可能な三角形発光領域７０、７２、７４、７６、７８及び８０から形成される矩形発光領域を持つ。これは、様々な角度において三角形の間の境界線が形成されることができ、故に、太陽の動きがエミュレートされ得ることを意味する。任意の数のこれらの三角形があり得る。三角形が多ければ多いほど、明るい領域と暗い領域との間の角度の優れた制御を可能にする。非限定的な例として、４乃至１２個のこのような三角形領域があり得る。
【００６９】
低い太陽位置をエミュレートする場合は、直接照明される（太陽に面する）側壁は、２つの矩形のうちの一方をより高い強度で照明させ得るのに対して、高い太陽位置をエミュレートする場合は、両方が同じ強度で照明され得る。従って、照明パターンは、照明される矩形形状のサイズが、太陽が上昇すると（矢印によって示されているように）増大するが、太陽が沈むと減少するよう、矢印によって示されているように漸進的に変化する。
【００７０】
同様に、三角形の境界の角度は、図８（ｂ）における矢印によって示されているように漸進的に変化する。
【００７１】
図８（ｂ）のパターンは、上昇する又は沈む太陽しかエミュレートすることができない。両方を実施するため、２つの鏡像パターンが、図６に示されているのと同じようにして積み重ねられ得る。
【００７２】
白色光だけでなく、着色光も用いることによって、更なる現実感及び／又は雰囲気効果が得られ得る。これは、当然、ＲＧＢ又はＲＧＢＷのＬＥＤを用いて達成され得る。一例として、朝に、日の出をシミュレートするよう、赤色光から、黄色光へ、白色光への段階的な変化が供給され得る。
【００７３】
この場合には、疑似天窓パネルの光強度は、側壁の発光領域の制御と同期され得る。天窓パネルは、凹部側壁が赤色であるときには、非常に低い強度を持ち、凹部の色が白色に変化するにつれて、最大強度（又はユーザ定義最大強度）まで増大させることができる。日中、（温白色から冷白色までの）色温度における変化も、疑似天窓の外観を変えることができる。
【００７４】
上の例においては、側壁は、光を発するよう構成される。しかしながら、反対側から光源（例えば、１つ以上のコリメートＬＥＤ）によって間接的に側壁を照明することによって、同じ効果が得られ得る。この場合には、側壁は、反射光を供給するが、この反射光が生じるよう知覚される形状及び／又は色は制御される。
【００７５】
上に示されている例は、全て、矩形凹部のまわりの矩形側壁を利用する。凹部は、非矩形の形状、例えば、六角形、円形、長円形、又はそれどころか、任意の他の多角形の形状であり得る。円形又は長円形の形状の場合は、１つの側壁しかなく、その側壁の様々な部分が、上記の効果を供給するよう制御されるだろう、これは、単一の側壁の或る部分が側壁の対向部分による反射のために光を発する間接照明を含み得る。
【００７６】
上の例は、全て、疑似天窓との組み合わせにおける照明システムの使用、即ち、天井の窓から受け取られるだろうような光の外観を再現するよう用いられる照明パネルに関する。
【００７７】
最も好ましい実施例においては、このような疑似天窓は、昼間の、天窓（即ち、空に面する窓）を介する照明の外観を再現することを目的としている。この外観は、指向性直射日光を含み得る、又は曇りの日を再現するよう、より拡散したものであり得る。疑似天窓はまた、月の明かり又は星の明かりを再現するよう制御可能であり得る。本発明の側壁によって供給される照明も、月の明かり又は星の明かりを供給するよう制御されている疑似天窓の効果を向上させるよう選ばれ得る。この向上は、例えば、側壁によって発せられる（又は反射される）光の色の制御を含むことができ、又は月光に強く照らされた空から知覚され得るような陰影効果を供給する制御を含み得る。
【００７８】
本発明の構成は、本物の天窓（即ち、実際の窓）にも適用され得る。その場合、この照明は、曇った日に、より晴れた日の効果をもたらすよう用いられることができ、又は夜に、全面的な照明を加えるよう用いられることができる。
【００７９】
図９は、本発明のシステムを示している。制御装置９０は、疑似天窓９１及び本発明の側壁光源を制御する。制御装置は、ユーザインタフェース９２から受け取ったユーザの命令に従って、及び／又はタイマー９４から受け取った時間値に基づいて、動作し得る。
【００８０】
上述のように、疑似天窓は、光生成領域に対して法線（下）方向に発せられる作業光のための第１の色と、法線方向から斜めの方向に発せられる光のための（例えば、より強い青色成分を持つ）第２の異なる色とを供給し得る。これは、既知のデュアルビーム光源である。制御装置は、側壁の光源の光出力における変化と同期される、疑似天窓の光出力における変化を可能にする。
【００８１】
上の例は、セグメント化光源領域を利用する。極限においては、側壁は、ずっと高い解像度を持つピクセル化ディスプレイとして形成されてもよく、故に、ほぼ連続的に変化するパターンが、現実感を更にもっと改善するよう形成され得る。当然、これは、少数の大面積光源を使用するものと比べて、より高価なソリューションである。しかしながら、それでも、この手法は、本発明の根底をなす概念の範囲内である。
【００８２】
上述のように、特に関心がある領域は、疑似天窓のためのものである。しかしながら、本発明は、曇った日に窓枠凹部に明るい領域を作成することによる、本物の窓（天窓又は標準的な垂直窓）の場合における日光の効果のシミュレートにおいても有益であることは、上記から明らかであるだろう。これは、直射日光の効果（及びあまり曇っていないという知覚）をもたらす。これは、例えば、入居者が遠い距離又は大きな角度のところに座っていることから、入居者が窓の外を直接見ることができない場合に、最も効果的である。
【００８３】
本発明は、疑似垂直窓にも適用され得る。疑似窓は、（例えば、写真のような）本物ように見える眺めを作成しようと試みる、又は本物の眺めの（潜在意識の）印象（例えば、場合により変遷のパターンを持つ、非常にぼけている低精細度の眺め）を与えようと試みる光源を持つ。本物の窓のように、現実感は、直射日光の効果をシミュレートすることによって、増加する。
【００８４】
制御装置は、ソフトウェア及び／又はハードウェアで必要とされる様々な機能を実施する多くの方法で実施され得る。プロセッサは、必要とされる機能を実施するために、ソフトウェア（例えばマイクロコード）を用いてプログラムされ得る１つ以上のマイクロプロセッサを用いる制御装置の一例である。しかしながら、制御装置は、プロセッサを用いて又は用いずに、実施されてもよく、幾つかの機能を実施する専用ハードウェアと、他の機能を実施するプロセッサ（例えば、１つ以上のプログラムされたマイクロプロセッサ及び関連回路）との組み合わせとして実施されてもよい。
【００８５】
本開示の様々な実施例において用いられ得る制御装置構成要素の例は、従来のマイクロプロセッサ、特定用途向け集積回路（ＡＳＩＣ）及びフィールド・プログラマブル・ゲート・アレイ（ＦＰＧＡ）を含むが、これらに限定されない。
【００８６】
様々な実施例において、プロセッサ又は制御装置は、ＲＡＭ、ＰＲＯＭ、ＥＰＲＯＭ及びＥＥＰＲＯＭのような揮発性及び不揮発性コンピュータメモリなどの１つ以上の記憶媒体と関連づけられ得る。記憶媒体は、１つ以上のプロセッサ及び／又は制御装置において実行されるときに必要とされる機能を実施する１つ以上のプログラムでコード化され得る。様々な記憶媒体は、プロセッサ若しくは制御装置内に取り付けられてもよく、又は前記記憶媒体に記憶された１つ以上のプログラムがプロセッサ又は制御装置にロードされ得るような可搬型のものであってもよい。
【００８７】
請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。特定の手段が、相互に異なる従属請求項において引用されているという単なる事実は、これらの手段の組み合わせが有利になるように使用されることができないと示すものではない。請求項におけるいかなる参照符号も、範囲を限定するものとして解釈されてはならない。
【図１】
2016536744.tif 000003
【図２】
2016536744.tif 000004
【図３】
2016536744.tif 000005
【図４】
2016536744.tif 000006
【図５】
2016536744.tif 000007
【図６】
2016536744.tif 000008
【図７】
2016536744.tif 000009
【図８（ａ）】
2016536744.tif 000010
【図８（ｂ）】
2016536744.tif 000011
【図９】
2016536744.tif 000012
【国際調査報告】
2016536744.tif 000013
2016536744.tif 000014
2016536744.tif 000015